(57)【要約】【課題】スクリーンパネル接合部に隙間が生じることを防ぎ、かつスクリーンパネルの屈曲時も連結部材の伸縮で円滑な屈曲ができるようにしたスクリーン式除塵機におけるスクリーンパネル連結装置を提供すること。【解決手段】複数枚のスクリーンパネルＰ、Ｐをエンドレス状に配設し、この隣接スクリーンパネルＰ、Ｐ間に連結ピン４を配設して連結接続し、この連結接続部の連結ピン４に沿って弾性体製の連結部材５を介在させて構成する。【選択図】図１
2005344276.tif 000002
【特許請求の範囲】
【請求項１】
エンドレス状に配設する隣接スクリーンパネル間の連結ピンによる連結接続部に、弾性体製の連結部材を介在させるように構成したことを特徴とするスクリーン式除塵機におけるスクリーンパネル連結装置。
【請求項２】
スクリーンパネルを、多数の金属プレートにプレス成形により複数の略同一高さの凸条又は凸部を形成するとともに、該凸条又は凸部を介して各金属プレートを重合し、該重合した金属プレートを枠体により固定し一体化して構成したことを特徴とする請求項１記載のスクリーン式除塵機におけるスクリーンパネル連結装置。
【発明の詳細な説明】
【技術分野】
【０００１】
本発明は、スクリーン式除塵機におけるスクリーンパネル連結装置に関し、特に、パネル式のスクリーン除塵機において、スクリーンパネル間の隙間をなくしてし渣の流出を防止するとともに、スクリーンパネル間の屈曲性能を維持し、し渣挟まりによる屈曲不良をなくすようにしたスクリー式除塵機におけるスクリーンパネル連結装置に関するものである。
【背景技術】
【０００２】
従来、小規模下水処理場や、農業用水、その他のポンプ場において、下水或いは用水取入口に取り付けてし渣（ごみ）の流入を防止するためのスクリーン式除塵機が提案されている。
このスクリーン式除塵機は、スクリーンパネルの複数枚を無端条（エンドレス状）に、キャタピラ状に連結接続し、これを水路に設置して取水中のし渣を捕捉しつつ流水通過させ、かつスクリーンの回転駆動によって捕捉したし渣を水中から掻き上げて水路外に排除するようにしている。
また、無端条のスクリーンは、多数のスクリーンパネルをキャタピラ状に連結することにより形成されているが、各スクリーンパネルは、多数の金属プレートを厚み方向に所定間隔で並設し、かつスクリーンの目幅を確保するために、多数の金属プレートの間に間隔保持部材を挟み込み、櫛歯状に形成し、これをエンドレス状に隣接配設し、隣接位置のスクリーンパネル間を連結ピンにて屈伸可能に組み立てるように構成されている。
【０００３】
ところで、上記従来のパネルを使用したスクリーン式除塵機は、多数の金属プレートの間に間隔保持部材を挟み込むようにして組み立てたスクリーンパネルの連結を、隣接するスクリーンパネルのフランジ部を互いに重ね、この両フランジの重合部に連結ピンを挿通して、各スクリーンパネル間を予め定められた角度の範囲内で屈曲するように構成している。
【０００４】
このため、このスクリーン式除塵機のスクリーンパネルを連結する場合、隣接するスクリーンパネルの連結ピンによる連結部に、隣接スクリーンパネル間が所定角度の範囲内で屈曲可能なように、スクリーンパネル間に所定の間隔をあけるようにしているから、隣接スクリーンパネル間に隙間が生じるものとなり、この隙間からし渣が取水とともに流入するようになり、隙間にし渣が詰まり易くなって隣接スクリーンパネル間の屈曲性が悪くなるため、この清掃作業に手間が掛かかるとともに、反対にこの隙間からのし渣の通過を少なくするように、スクリーンパネル接合部の隙間を極力小さくすると、接合部が屈伸する際、スクリーンパネル接合部が互いに摺動するものとなって摩耗が発生し、その寿命を短くするという問題があった。
【発明の開示】
【発明が解決しようとする課題】
【０００５】
本発明は、上記従来のパネルを使用したスクリーン式除塵機の有する問題点に鑑み、スクリーンパネル接合部に隙間が生じることを防ぎ、かつスクリーンパネルの屈曲時も連結部材の伸縮で円滑な屈曲ができるようにしたスクリーン式除塵機におけるスクリーンパネル連結装置を提供することを目的とする。
【課題を解決するための手段】
【０００６】
上記目的を達成するため、本発明のスクリーン式除塵機におけるスクリーンパネル連結装置は、エンドレス状に配設する隣接スクリーンパネル間の連結ピンによる連結接続部に、弾性体製の連結部材を介在させるように構成したことを特徴とする。
【０００７】
この場合において、スクリーンパネルを、多数の金属プレートにプレス成形により複数の略同一高さの凸条又は凸部を形成するとともに、該凸条又は凸部を介して各金属プレートを重合し、該重合した金属プレートを枠体により固定し一体化して構成することができる。
【発明の効果】
【０００８】
本発明のスクリーン式除塵機におけるスクリーンパネル連結装置によれば、エンドレス状に配設する隣接スクリーンパネル間の連結ピンによる連結接続部に、弾性体製の連結部材を介在させるように構成しているから、この弾性体製の連結部材の伸縮で屈曲性を持たせているため、スクリーンパネル連結接合部間の隙間及び摺動をなくし、し渣の流入や挟まりを防止することができる。
また、スクリーンパネルの構成、組み立てを簡易にして、安価に製作することができる。
【０００９】
また、多数の金属プレートにプレス成形により複数の略同一高さの凸条又は凸部を形成するとともに、該凸条又は凸部を介して各金属プレートを重合し、該重合した金属プレートを枠体により固定し一体化してスクリーンパネルを構成することにより、金属プレートを重ね合わせて枠体で固定するだけで簡単に製作することができ、従来のように金属プレートと間隔保持部材を交互にボルトに通して組み立てる必要がなく、さらに、間隔保持部材も不要となり、安価に製作することができ、そして、凸条又は凸部はプレス成形によることから、多数の金属プレートに対しても容易に形成することができ、また、この凸条又は凸部の高さを変えることにより容易にスクリーンの目幅を変更することができる。
【発明を実施するための最良の形態】
【００１０】
以下、本発明のスクリーン式除塵機におけるスクリーンパネル連結装置の実施の形態を、図面に基づいて説明する。
【実施例１】
【００１１】
図１〜図２に、本発明のスクリーン式除塵機におけるスクリーンパネル連結装置の一実施例を示す。
このスクリーン式除塵機におけるスクリーンパネル連結装置は、複数枚のスクリーンパネルＰ、Ｐをエンドレス状に配設し、この隣接スクリーンパネルＰ、Ｐ間に連結ピン４を配設して連結接続し、この連結接続部の連結ピン４に沿って弾性体製の連結部材５を介在させて構成するようにしている。
【００１２】
このスクリーンパネルＰは、特に限定されるものではないが、例えば、複数枚の金属プレート１を櫛歯状に、所定の隙間をあけるようにして重合し、これを枠体３により固定し一体化してスクリーンパネルＰを構成する場合と、所要の大きさを有するパンチングメタル６を枠体３により固定し一体化してスクリーンパネルＰを構成するほか、パンチングメタル、スリット板、樹脂製ハニカム板、バースクリーン等の任意の材料によって構成することができる。
【００１３】
金属プレート１を櫛歯状に配列してスクリーンパネルＰを構成する場合、多数の金属プレート１にプレス成形により複数の略同一高さの凸条２を形成するとともに、該凸条２を介して各金属プレート１を重合し、該重合した金属プレート１を枠体３により固定し一体化して、図３の右半に示すように、スクリーンパネルＰ１とすることができる。
この凸条２は、同一の金属プレート１においては略同一高さとするが、異なる金属プレート１同士では異なる高さにすることもでき、この凸条２は、特に限定されるものではなく、例えば、図２（Ａ）に示すように、隣接する金属プレート１で位置が異なるように、複数の断面Ｖ字状の凸条２を片面にプレス成形することができる。
また、前記金属プレート１における凸条２を、図２（Ｂ）に示すように、複数の長円状の凸部２とすることもでき、これは金属プレート１の両端部において片面にプレス成形にて形成し、この凸部２を有する金属プレート１を用いて枠体３により固定し一体化して、図３の左半に示すように、スクリーンパネルＰ２とすることができる。
そして、各凸条２或いは凸部２を同じ側に向けて金属プレート１を重合することにより、金属プレート１間にスクリーンの目幅となる所定の空隙を確保している。
なお、このスクリーンパネルＰ１、Ｐ２には、除塵機のスクリーンとして無端状に連結して使用されるものであるため、し渣を掻き揚げるフック付の金属プレート１ａが部分的に配設されることもある。
枠体３は、重合した金属プレート１の側部に嵌着される断面コ字状の外枠３１と、該外枠３１の両端に固定されるエンドプレート３２とを備え、この外枠３１の両端には、外方に張り出すフランジ部３４が形成されており、該フランジ部３４をエンドプレート３２に合わせて、この重合部に連結用の孔３３を穿設し、これに連結ピンを貫通することにより、隣接するスクリーンパネルＰの枠体３、３間を屈伸可能に連結するものである。
なお、この外枠３１をガイドとしてその内側に金属プレート１を、図２（Ａ）に示すようにして挿入するようにすれば、容易にスクリーンパネルを組み立てることができる。
【００１４】
このように構成するスクリーンパネルＰは、多数の金属プレート１にプレス成形により複数の略同一高さの凸条２又は凸部２を形成するとともに、該凸条２又は凸部２を介して各金属プレート１を重合し、該重合した金属プレート１を枠体３により固定し一体化することから、金属プレート１を重ね合わせて枠体３で固定するだけで簡単に製作することができ、従来のように金属プレートと間隔保持部材を交互にボルトに通して組み立てる必要がなく、さらに、間隔保持部材も不要となり、安価に製作することができる。
そして、凸条２又は凸部２はプレス成形によることから、多数の金属プレート１に対しても容易に形成することができ、また、この凸条又は凸部の高さを変えることにより容易にスクリーンの目幅を変更することができる。
【００１５】
また、スクリーンパネルＰをパンチングメタルを用いて構成する場合は、図１の右端に示すように、所要の大きさに截断されたパンチングメタル６を、特に限定されるものではないが、例えば、対向する両端部をく字形に屈曲して、これを枠体３の外枠３１に溶着或いはビス止め等にて一体とするものである。
さらに、このパンチングメタルの代わりに、スリット板、樹脂製ハニカム板、バースクリーンなども採用することができる。
【００１６】
このようにして構成したスクリーンパネルＰを、図１、３に示すように、エンドレス状に連結するには、各スクリーンパネルＰのエンドプレート３２に穿設した連結用の孔３３、３３を一致するようにして重ね合わせ、この連結用の孔３３、３３に、棒状或いはボルト状の連結ピン４を挿通する。この場合、エンドプレート３２の外側にリンクチェーンのリンクプレート７を設け、連結ピン４で共に接続するようにするとともに、このスクリーンパネルＰ、Ｐ間の連結接続部に沿って弾性体製、例えば、合成ゴム、合成樹脂等の素材で簡易に変形し、かつ復元するようにした連結部材５を介在させる。
この連結部材５は、隣接するスクリーンパネルＰ、Ｐ間が容易に屈曲できるように形成した隙間内に挿入されるようにし、その形状は特に限定されるものではないが、例えば、スクリーンパネルＰ、Ｐ間の隙間に挿入できる中空角棒状とし、この中空角棒状の連結部材５内に前記連結ピン４を挿通する。これにより、連結されるスクリーンパネルＰ、Ｐの隙間をなくすことができるので、スクリーンパネル間の摺動がなくなり、かつ屈曲する際にみ連結部材５の伸縮作用でスクリーンパネルＰ、Ｐ間の屈曲が容易にできるようになり、し渣等の通過防止及びし渣の詰まりをなくすことが可能となる。
【００１７】
以上、本発明のスクリーン式除塵機のスクリーンパネル連結装置について、実施例に基づいて説明したが、本発明は上記実施例に記載した構成に限定されるものではなく、その趣旨を逸脱しない範囲において適宜その構成を変更することができるものである。
【産業上の利用可能性】
【００１８】
本発明のスクリーン式除塵機におけるスクリーンパネル連結装置によれば、通水性のスクリーンパネルが屈曲する場合でもその可撓性連結部の隙間をなくして微細し渣の通過をも防止することができることから、このスクリーンパネル連結装置は、除塵機のスクリーンの用途に好適に用いることができる。また、スクリーンパネルの凹凸を組み合わせるスクリーンの製作方法は、下水や河川の固定式ごみ除去スクリーン、送風・排気等のフィルター、グレーチング等の溝フタの用途にも用いることができる。
【図面の簡単な説明】
【００１９】
【図１】本発明のスクリーン式除塵機のスクリーンパネル連結装置の一実施例を示す外観斜視図である。
【図２】スクリーンパネルの組み立て説明図である。
【図３】スクリーンパネル連結接続部の屈伸時の説明図で、（Ａ）は伸張時の説明図、（Ｂ）は屈曲時の説明図である。
【図４】パネル式スクリーンの正面図である。
【符号の説明】
【００２０】
Ｐ    スクリーンパネル
１    金属プレート
２    凸条又は凸部
３    枠体
３１  外枠
３２  エンドプレート
３３  連結用の孔
４    連結ピン
５    弾性体製の連結部材
６    パンチングメタル
７    リンクプレート
【図１】
2005344276.tif 000003
【図２】
2005344276.tif 000004
【図３】
2005344276.tif 000005
【図４】
2005344276.tif 000006